(57)【要約】ドラム軸（２）を駆動する駆動ユニット（１）を有するタイヤを組み立てる装置。第１の組み立てドラム半部（３）および第２の組み立てドラム半部（４）を有する組み立てドラムがドラム軸の周りに配置される。ドラム軸の周りを回転することのできる圧力媒体継手（６）は、圧力媒体連結部（７）を備える。各組み立てドラム半部は、いくつかの圧力媒体連結部（８、９）を備える。第１の組み立てドラム半部の圧力媒体連結部は、第１のチューブセット（１２）によって回転可能な圧力媒体継手の圧力媒体連結部に連結され、ドラム軸には、一方の側で回転可能な圧力媒体継手に連結され、他方の側で第２のチューブセット（１４）によって第２の組み立てドラム半部の圧力媒体連結部に連結された圧力媒体ダクトが配置される。各チューブセット（１２、１４）は、組み立てドラム半部取り付けリング（１５、１６）に連結され、組み立てドラム半部取り付けリングは、対応する組み立てドラム半部の圧力媒体連結部に連結可能であり、したがって、対応する組み立てドラム半部の圧力媒体連結部は、対応する組み立てドラム半部取り付けリングによってチューブセットに連結される。
2011518692.tif 000002
【特許請求の範囲】
【請求項１】
タイヤを組み立てる装置であって、
駆動ユニット（１）と、
前記駆動ユニット（１）によって駆動することのできるドラム軸（２）と、
前記ドラム軸（２）の周りに配置され、第１の組み立てドラム半部（３）および第２の組み立てドラム半部（４）を有する組み立てドラムと、
圧力媒体を加圧する圧力媒体ユニット（５）と、
前記ドラム軸（２）の周りを回転可能であり、圧力媒体連結部（７）を備えた圧力媒体継手（６）と、を備え、
各組み立てドラム半部（３、４）が、いくつかの圧力媒体連結部（８、９）と圧力媒体作動部材（１０、１１）とを備え、前記第１の組み立てドラム半部（３）の前記圧力媒体連結部（８）が、第１のチューブセット（１２）によって前記回転可能な圧力媒体継手（６）の前記圧力媒体連結部（７）に連結され、前記ドラム軸（２）には、一方の側で前記回転可能な圧力媒体継手（６）に連結され、他方の側で第２のチューブセット（１４）によって前記第２の組み立てドラム半部（４）の前記圧力媒体連結部（９）に連結された圧力媒体ダクト（１３）が配置される装置において、
前記いくつかの圧力媒体連結部（８、９）は、実質的に、それぞれの前記組み立てドラム半部（３、４）の遠位端（８１、９１）にあるいはその近くに配置されており、前記各チューブセット（１２、１４）は、組み立てドラム半部取り付けリング（１５、１６）に連結され、前記組み立てドラム半部取り付けリング（１５、１６）は、前記チューブセット（１２、１４）のチューブと、対応する前記組み立てドラム半部（３、４）の前記圧力媒体連結部（８、９）との間に流体連結部を形成するようにそれぞれの遠位端（８１、９１）に回転しないように連結可能であることを特徴とする、装置。
【請求項２】
前記第１のチューブセット（１２）は継手取り付けリング（１７）に連結され、前記継手取り付けリング（１７）は、前記圧力媒体継手（６）の前記圧力媒体連結部（７）に連結可能であり、したがって、前記圧力媒体継手（６）の前記圧力媒体連結部（７）は、前記継手取り付けリング（１７）によって前記第１のチューブセット（１２）に連結されることを特徴とする、請求項１に記載の装置。
【請求項３】
前記継手取り付けリング（１７）は、前記ドラム軸（２）に固定的に連結されるかあるいは前記ドラム軸（２）と一体的に形成される、請求項２に記載の装置。
【請求項４】
前記第２のチューブセット（１４）はドラム軸取り付けリング（１８）に連結され、前記ドラム軸取り付けリング（１８）は、前記ドラム軸（２）で前記圧力媒体ダクト（１３）に連結可能であり、したがって、前記圧力媒体ダクト（１３）は、前記ドラム軸取り付けリング（１８）によって前記第２のチューブセット（１４）に連結されることを特徴とする、請求項１から３のいずれか１項に記載の装置。
【請求項５】
前記ドラム軸取り付けリング（１８）は、前記ドラム軸（２）に取り外し可能に連結される、請求項４に記載の装置。
【請求項６】
前記組み立てドラム半部取り付けリング（１５、１６）と前記組み立てドラム半部（３、４）の関連する前記遠位端（８１、９１）は、互いに１つの位置でしか連結できないように構成される、請求項１から５のいずれか１項に記載の装置。
【請求項７】
タイヤを組み立てる装置であって、
駆動ユニット（１）と、
前記駆動ユニット（１）によって駆動することのできるドラム軸（２）と、
前記ドラム軸（２）の周りに配置され、第１の組み立てドラム半部（３）および第２の組み立てドラム半部（４）を有する組み立てドラムと、
圧力媒体を加圧する圧力媒体ユニット（５）と、
前記ドラム軸（２）の周りを回転可能であり、圧力媒体連結部（７）を備えた圧力媒体継手（６）と、を備え、
各組み立てドラム半部（３、４）が、いくつかの圧力媒体連結部（８、９）と圧力媒体作動部材（１０、１１）とを備え、前記第１の組み立てドラム半部（３）の前記圧力媒体連結部（８）が、第１のチューブセット（１２）によって前記回転可能な圧力媒体継手（６）の前記圧力媒体連結部（７）に連結され、前記ドラム軸（２）には、一方の側で前記回転可能な圧力媒体継手（６）に連結され、他方の側で第２のチューブセット（１４）によって前記第２の組み立てドラム半部（４）の前記圧力媒体連結部（９）に連結された圧力媒体ダクト（１３）が配置される装置において、
前記回転可能な圧力媒体継手（６）の前記圧力媒体連結部（７）は、実質的に、前記回転可能な圧力媒体継手（６）の端部（１１７）にあるいはその近くに配置されており、前記端部は前記第１の組み立てドラム半部（３）に面しており、少なくとも前記第１のチューブセット（１２）は継手取り付けリング（１１５）に連結され、前記継手取り付けリング（１１５）は、前記チューブセット（１２）のチューブと、前記回転可能な圧力媒体継手（６）の前記圧力媒体連結部（７）との間に流体連結部を形成するように前記回転可能な圧力媒体継手（６）の前記端部（１１７）に回転しないように連結可能であることを特徴とする、装置。
【請求項８】
前記継手取り付けリング（１１５）と前記回転可能な圧力媒体継手（６）の前記端部（１１７）は、互いに１つの位置でしか連結できないように構成される、請求項７に記載の装置。
【請求項９】
タイヤを組み立てる装置であって、
駆動ユニット（１）と、
前記駆動ユニット（１）によって駆動することのできるドラム軸（２）と、
前記ドラム軸（２）の周りに配置され、第１の組み立てドラム半部（３）および第２の組み立てドラム半部（４）を有する組み立てドラムと、
圧力媒体を加圧する圧力媒体ユニット（５）と、
前記ドラム軸（２）の周りを回転可能であり、圧力媒体連結部（７）を備えた圧力媒体継手（６）と、を備え、
各組み立てドラム半部（３、４）が、いくつかの圧力媒体連結部（８、９）と圧力媒体作動部材（１０、１１）とを備え、前記第１の組み立てドラム半部（３）の前記圧力媒体連結部（８）が、第１のチューブセット（１２）によって前記回転可能な圧力媒体継手（６）の前記圧力媒体連結部（７）に連結され、前記ドラム軸（２）には、一方の側で前記回転可能な圧力媒体継手（６）に連結され、他方の側で第２のチューブセット（１４）によって前記第２の組み立てドラム半部（４）の前記圧力媒体連結部（９）に連結された圧力媒体ダクト（１３）が配置される装置において、
前記回転可能な圧力媒体継手（６）の前記圧力媒体連結部（７）は、実質的に、前記回転可能な圧力媒体継手（６）の端部（７１）にあるいはその近くに配置されており、前記端部は前記第１の組み立てドラム半部（３）に面しており、前記第１の組み立てドラム半部（３）の前記圧力媒体連結部（８）は、実質的に、前記第１の組み立てドラム半部（３）の遠位端（８１）にあるいはその近くに配置されており、少なくとも前記第１のチューブセット（２１２）は、第１の端部の所で組み立てドラム半部取り付けリング（２１５Ａ）に連結され、かつ第２の端部の所で継手取り付けリング（２１５Ｂ）に連結され、前記組み立てドラム半部取り付けリング（２１５Ａ）は、前記第１のチューブセット（２１２）のチューブと、前記第１の組み立てドラム半部（３）の前記圧力媒体連結部（８）との間に流体連結部を形成するように前記遠位端（８１）に回転しないように連結可能であり、前記継手取り付けリング（２１５Ｂ）は、前記チューブセット（２１２）のチューブと、前記回転可能な圧力媒体継手（６）の前記圧力媒体連結部（７）との間に流体連結部を形成するように前記回転可能な圧力媒体継手（６）の前記端部（７１）に回転しないように連結可能であることを特徴とする、装置。
【請求項１０】
前記組み立てドラム半部取り付けリング（２１５Ａ）と前記第１の組み立てドラム半部（３）の前記遠位端（８１）は、互いに１つの位置でしか連結できないように構成され、および／または前記組継手取り付けリング（２１５Ｂ）と前記回転可能な圧力媒体継手（６）の前記端部（７１）は、互いに１つの位置でしか連結できないように構成されることを特徴とする、請求項９に記載の装置。
【発明の詳細な説明】
【技術分野】
【０００１】
本発明は、タイヤを組み立てる装置であって、駆動ユニットと、駆動ユニットによって駆動することのできるドラム軸と、ドラム軸の周りに配置され、第１および第２の組み立てドラム半部を有する組み立てドラムと、圧力媒体を加圧する圧力媒体ユニットと、ドラム軸の周りを回転可能であり、圧力媒体連結部を備えた圧力媒体継手とを備え、各組み立てドラム半部が、いくつかの圧力媒体連結部と圧力媒体作動部材とを備え、第１の組み立てドラム半部の圧力媒体連結部が、第１のチューブセットによって回転可能な圧力媒体継手の圧力媒体連結部に連結され、ドラム軸には、一方の側で回転可能な圧力媒体継手に連結され、他方の側で第２のチューブセットによって第２の組み立てドラム半部の圧力媒体連結部に連結された圧力媒体ダクトが配置される装置に関する。
【背景技術】
【０００２】
このような装置は、たとえば国際公開第２００５／１１８２７０Ａ２号で公知である。このような装置では、様々な寸法のタイヤの組み立てとメンテナンスのために、組み立てドラムをドラム軸から取り外し、かつドラム軸上に配置する必要がある。このために、まず、ドラム半部をドラム軸から滑らせて、５本までのチューブ、または場合によっては６本以上のチューブを含むことのできるチューブセットのすべてのチューブをドラム軸の両端部において、ドラム半部から取り外す必要があり、その後、他のドラム半部または補修された同じドラム半部を再びドラム軸上に滑り戻して配置し、チューブセットを再び連結する。間違った取り付けをできる限り避けるために、チューブセットのチューブは、互いにできる限り異なるように構成される。
【発明の概要】
【発明が解決しようとする課題】
【０００３】
このような対策にもかかわらず、依然としてチューブを間違って連結する恐れがあり、チューブを切り離し、再び連結することは労力を要し時間のかかる作業である。
【０００４】
本発明の目的は、チューブを間違って連結しないようにし、チューブの切り離しおよび再連結をより迅速に行えるようにする、タイヤを組み立てる装置を提供することである。
【課題を解決するための手段】
【０００５】
この目的のために、本発明によれば、冒頭に記載された種類のタイヤを組み立てる装置は、各チューブセットが組み立てドラム半部取り付けリングに連結され、組み立てドラム半部取り付けリングが、対応する組み立てドラム半部圧力媒体連結部に連結可能であり、したがって、対応する組み立てドラム半部の圧力媒体連結部が、対応する組み立てドラム半部取り付けリングによってチューブセットに連結されることを特徴とする。特に、組み立てドラム半部のいくつかの圧力媒体連結部は、実質的に、組み立てドラム半部の遠位端にあるいはその近くに配置されており、各チューブセットは、組み立てドラム半部取り付けリングに連結され、組み立てドラム半部取り付けリングは、チューブセットのチューブと、対応する組み立てドラム半部の圧力媒体連結部との間に流体連結部を形成するようにそれぞれの遠位端に連結可能であり、好ましくは固定的にあるいは回転しないように連結可能である。その結果、チューブセットを組み立てドラムから切り離す、または組み立てドラムに連結する場合、対応する取り付けリングを切り離す、または連結するだけでよく、チューブを個別に１本ずつ切り離す、または連結する必要はなくなる。その結果、かなりの時間が節約され、組み立てドラム半部の圧力媒体連結部に間違った連結を行う可能性も大幅に低減する。
【０００６】
他の実施態様では、本発明は、冒頭に記載された種類のタイヤを組み立てる装置であって、回転可能な圧力媒体継手の圧力媒体連結部が、実質的に、回転可能な圧力媒体継手の端部にあるいはその近くに配置されており、端部が第１の組み立てドラム半部に面しており、少なくとも第１のチューブセットが継手取り付けリングに連結され、継手取り付けリングが、チューブセットのチューブと、回転可能な圧力媒体継手の圧力媒体連結部との間に流体連結部を形成するように回転可能な圧力媒体継手の端部に連結可能であり、特に固定的にあるいは回転しないように連結可能であることを特徴とする装置を提供する。
【０００７】
他の実施態様では、本発明は、冒頭に記載された種類のタイヤを組み立てる装置であって、回転可能な圧力媒体継手の圧力媒体連結部が、実質的に、回転可能な圧力媒体継手の端部にあるいはその近くに配置されており、端部が第１の組み立てドラム半部に面しており、第１の組み立てドラム半部の圧力媒体連結部が、実質的に、第１の組み立てドラム半部の遠位端にあるいはその近くに配置されており、少なくとも第１のチューブセットが、第１の端部の所で組み立てドラム半部取り付けリングに連結され、かつ第２の端部の所で継手取り付けリングに連結され、組み立てドラム半部取り付けリングが、第１のチューブセットのチューブと、第１の組み立てドラム半部の圧力媒体連結部との間に流体連結部を形成するように遠位端に連結可能であり、特に固定的にあるいは回転しないように連結可能であり、継手取り付けリングが、チューブセットのチューブと、回転可能な圧力媒体継手の圧力媒体連結部との間に流体連結部を形成するように回転可能な圧力媒体継手の端部に連結可能であり、特に固定的にあるいは回転しないように連結可能であることを特徴とする装置を提供する。
【０００８】
本発明による装置の一実施態様では、第１のチューブセットは継手取り付けリングに連結され、継手取り付けリングは、圧力媒体継手の圧力媒体連結部に連結可能であり、したがって、圧力媒体継手の圧力媒体連結部は、継手取り付けリングによって第１のチューブセットに連結される。その結果、チューブセットを圧力媒体継手から切り離す、または圧力媒体継手に連結する場合、継手取り付けリングを切り離す、または連結するだけでよく、チューブを個別に１本ずつ切り離す、または連結する必要はなくなる。このように、かなりの時間が節約され、圧力媒体継手の圧力媒体連結部に間違った連結を行う可能性も大幅に低減する。
【０００９】
本発明による装置の他の実施態様では、第２のチューブセットはドラム軸取り付けリングに連結され、ドラム軸取り付けリングは、ドラム軸において圧力媒体ダクトに連結可能であり、したがって、圧力媒体ダクトは、ドラム軸取り付けリングによって第２のチューブセットに連結される。その結果、チューブセットを圧力媒体ダクトから切り離す、または圧力媒体ダクトに連結する場合、ドラム軸取り付けリングを切り離す、または連結するだけでよく、チューブを個別に１本ずつ切り離す、または連結する必要はなくなる。その結果、かなりの時間が節約され、圧力媒体ダクトに間違った連結を行う可能性も大幅に低減する。
【００１０】
取り付けリングおよび関連部分を互いに１つの位置でしか連結できないように構成すると、チューブを間違って連結する可能性は零になる。１つの位置でしか実現できない部品間の連結についてのこのような実施態様は、本来公知である。たとえば、ほぞ継手、バイオネット継手などを検討されたい。
【００１１】
本発明による装置の有利な実施態様では、継手取り付けリングはドラム軸に固定的に連結される。このように、第１の組み立てドラム半部の交換時に継手取り付けリングを切り離す必要は無くなる。
【００１２】
本発明について、添付の図面に示されているいくつかの例示的な実施形態に基づいて説明する。
【図面の簡単な説明】
【００１３】
【図１】タイヤを組み立てる本発明の装置の概略側面図である。
【図２Ａ】一方の端部が組み立てドラム取り付けリングに連結されたチューブの概略側面図である。
【図２Ｂ】一方の端部が組み立てドラム取り付けリングに連結されたチューブの概略側面図である。
【図３Ａ】切り離された状態の組み立てドラム半部およびチューブセットの一部の概略側面図である。
【図３Ｂ】切り離された状態の組み立てドラム半部およびチューブセットの一部の概略側面図である。
【図３Ｃ】連結された状態の組み立てドラム半部およびチューブセットの一部の概略側面図である。
【図４】本発明によるタイヤを組み立てる他の装置の概略側面図である。
【図５】一方の端部が継手取り付けリングに連結されたチューブの概略側面図である。
【図６】端部がそれぞれ組み立てドラム取り付けリングおよび継手取り付けリングに連結されたチューブの概略側面図である。
【発明を実施するための形態】
【００１４】
図１には、タイヤを組み立てる本発明の装置の概略側面図が示されている。図示の装置は、ドラム軸２を駆動する駆動ユニット１を有している。第１の組み立てドラム半部３と第２の組み立てドラム半部４とを有するタイヤ組み立てドラムがドラム軸２上に配置されている。装置は、たとえば空気などの圧力媒体を加圧する概略的に示された圧力媒体ユニット５をさらに有している。
【００１５】
圧力媒体連結部７を備え、かつドラム軸２の周りを回転することのできる圧力媒体継手６を介して、圧力媒体ユニット５を、各組み立てドラム半部３、４上に設けられた圧力媒体連結部８、９に連結することができる。図中では圧力媒体連結部８、９が概略的に示されていることに留意されたい。
【００１６】
各組み立てドラム半部３、４は、詳しくは示されていない圧力媒体作動部材１０、１１をさらに含んでいる。このような部材１０、１１はたとえば、国際公開第２００５／１１８２７０Ａ２号に記載されたような折り返しアームであってよい。
【００１７】
第１の組み立てドラム半部３の圧力媒体連結部８は、第１のチューブセット１２によって回転可能な圧力媒体継手６の圧力媒体連結部７に連結されている。図示の実施形態では、図を明確にするために、１本のチューブのみが示されているが、実際には、各チューブセットは５本までのチューブ、または場合によっては６本以上のチューブを含む。
【００１８】
ドラム軸２には、一方の側で回転可能な圧力媒体継手６に連結され、他方の側で、第２のチューブセット１４によって第２の組み立てドラム半部４の圧力媒体連結部９に連結された圧力媒体ダクト１３が配置されている。１つのダクト１３しか示されていないが、実際には複数のダクトがあることが明らかになろう。
【００１９】
各チューブセット１２；１４は、組み立てドラム半部取り付けリング１５；１６に連結されている。取り付けリング１５；１６は、組み立てドラム半部３；４の遠位端８１；９１に連結可能であり、特に固定的にあるいは回転しないように連結可能であり、したがって、対応する組み立てドラム半部３、４の圧力媒体連結部８；９は、対応する組み立てドラム半部取り付けリング１５；１６によってチューブセット１２；１４に連結されている。
【００２０】
図１に示されているように、第１のチューブセット１２は、圧力媒体継手６の圧力媒体連結部７に連結された継手取り付けリング１７に連結されており、したがって、圧力媒体継手６の圧力媒体連結部７は、継手取り付けリング１７によって第１のチューブセット１２に連結されている。
【００２１】
図１は、第２のチューブセット１４が、ドラム軸２の圧力媒体ダクト１３に連結されたドラム軸取り付けリング１８に連結されており、したがって、圧力媒体ダクト１３は、ドラム軸取り付けリング１８によって第２のチューブセット１４に連結されていることを示している。
【００２２】
図２Ａには、端部が、対応する取り付けリング１６、１８にそれぞれ連結された第２のチューブセット１４の概略側面図が示されている。図２Ｂには、端部が、対応する取り付けリング１５、１７にそれぞれ連結された第１のチューブセット１２の概略側面図が示されている。チューブセット１４；１２および取り付けリング１６、１８；１５、１７の組立体を一体的に形成することができる。図２Ａおよび図２Ｂに示されているように、ドラム半部取り付けリング１５；１６を取り外す際、第１および第２のチューブセット１２；１４をそれぞれ継手取り付けリング１７またはドラム軸取り付けリング１８に固定的に連結したままにしておくことができる。一方では、ドラム半部取り付けリング１５、第１のチューブセット１２、および継手取り付けリング１７を回転可能な圧力媒体継手６の圧力媒体連結部７に固定的に連結したままにしておくことができる。第１の組み立てドラム半部３を取り外す際、これらの部材を新しい第１の組み立てドラム半部に結合されるようにドラム軸２上に一体的に残しておくことができる。他方では、ドラム半部取り付けリング１６、第２のチューブセット１４、およびドラム軸取り付けリング１８を一体的にドラム軸２から取り外すかあるいはドラム軸２上に配置することができる。
【００２３】
図３Ａ、図３Ｂ、および図３Ｃには、切り離された状態（図３Ａおよび図３Ｂ）と連結された状態（図３Ｃ）の第１の組み立てドラム半部３および第１のチューブセット１４の一部の概略側面図が示されている。この場合、継手取り付けリング１７はドラム軸２に固定的に連結され、言い換えれば一体化されている。これらの図には、ドラム半部取り付けリング１５を組み立てドラム半部３に１つの位置でしか連結できなくする一実施形態が示されている。このために、組み立てドラム半部３は穴１９を備えており、ドラム半部取り付けリング１５は、穴１９に嵌るピン２０を備えている。このように、取り付けリング１５とドラム半部３は、互いに１つの位置でしか連結できない。したがって、ドラム半部取り付けリング１５は、第１のチューブセット１４のすべてのチューブを組み立てドラム半部３に一気に連結する迅速継手を構成する。当業者には、相互の連結が１つの位置でしかできない取り付けリングおよび関連部品の他の実施形態が可能であることが明らかであろう。たとえば、バイオネット継手を検討されたい。
【００２４】
図４には概略側面図が示されており、この場合、第１および第２のチューブセット１１２；１１４は、一方の側でそれぞれの組み立てドラム半部３；４に連結され、かつ他方の側で取り付けリングの第１の部分１１５；１１６に連結されており、第１の部分１１５；１１６を第２の部分１１７；１１８に取り外し可能に連結することが可能である。
【００２５】
図４には、第１のチューブセット１１２が、継手取り付けリングの第２の部分１１７に取り外し可能に連結された継手取り付けリングの第１の部分１１５に連結されており、第２の部分１１７が、圧力媒体継手６の圧力媒体連結部７に連結され、したがって、圧力媒体継手６の圧力媒体連結部７が、継手取り付けリング１１５、１１７によって第１のチューブセット１１２に連結されていることが示されている。
【００２６】
更に、図４には、第２のチューブセット１１４が、ドラム軸取り付けリングの第２の部分１１８に取り外し可能に連結されたドラム軸取り付けリングの第１の部分１１６に連結されており、第２の部分１１８が、ドラム軸２の圧力媒体ダクト１３に連結され、したがって、圧力媒体ダクト１３が、ドラム軸取り付けリング１１６、１１８によって第２のチューブセット１１４に連結されていることが示されている。
【００２７】
したがって、図４の例示的な実施形態では、継手取り付けリング１１５、１１７は、第１のチューブセット１１２のすべてのチューブを圧力媒体連結部７に一気に連結する迅速継手を構成し、そして、ドラム軸取り付けリング１１６、１１８は、第２のチューブセット１１４のすべてのチューブをドラム軸２の圧力媒体ダクト１３に一気に連結する迅速継手を構成する。図５に示されているように、継手取り付けリング１１５、１１７を取り外す際、継手取り付けリングの第１の部分１１５を含む第１のチューブセット１１２を第１の組み立てドラム半部の圧力媒体連結部８に固定的に連結されたままに残しておくことができ、これらの部材を一体的にドラム軸２から取り外すかあるいはドラム軸２上に一体的に配置することができる。
【００２８】
図６には、第１のチューブセット２１２が、第１のチューブセット２１２のすべてのチューブを一方の側では第１の組み立てドラム半部の圧力媒体連結部８に、他方の側では継手取り付けリング２１７の圧力媒体連結部に、一気に結合する迅速継手を構成する取り付けリング２１５Ａ、２１５Ｂを各側に備えている、他の例示的な実施形態が概略的に示されている。この実施形態では、チューブセット２１２と取り付けリング２１５Ａ、２１５Ｂは一体的に形成されている。
【００２９】
上記の説明は、本発明の好ましい実施形態を示すために含められているものであり、本発明範囲を限定するために含められているものではない。上記の説明から、当業者には、特に添付の特許請求の範囲に定義された本発明の趣旨および範囲内の多数の変形実施形態が明らかになろう。
【００３０】
したがって、本発明は要するに、ドラム軸を駆動する駆動ユニットを有するタイヤを組み立てる装置を提供する。第１および第２の組み立てドラム半部を有する組み立てドラムがドラム軸の周りに配置される。ドラム軸の周りを回転することのできる圧力媒体継手は、圧力媒体連結部を備える。各組み立てドラム半部は、いくつかの圧力媒体連結部を備える。第１の組み立てドラム半部の圧力媒体連結部は、第１のチューブセットによって回転可能な圧力媒体継手の圧力媒体連結部に連結され、ドラム軸には、一方の側で回転可能な圧力媒体継手に連結され、他方の側で第２のチューブセットによって第２の組み立てドラム半部の圧力媒体連結部に連結された圧力媒体ダクトが配置される。各チューブセットは、組み立てドラム半部取り付けリングに連結され、組み立てドラム半部取り付けリングは、対応する組み立てドラム半部の圧力媒体連結部に連結可能であり、したがって、対応する組み立てドラム半部の圧力媒体連結部は、対応する組み立てドラム半部取り付けリングによってチューブセットに連結される。
【図１】
2011518692.tif 000003
【図２Ａ】
2011518692.tif 000004
【図２Ｂ】
2011518692.tif 000005
【図３Ａ】
2011518692.tif 000006
【図３Ｂ】
2011518692.tif 000007
【図３Ｃ】
2011518692.tif 000008
【図４】
2011518692.tif 000009
【図５】
2011518692.tif 000010
【図６】
2011518692.tif 000011
【国際調査報告】
2011518692.tif 000012
2011518692.tif 000013
2011518692.tif 000014